(57)【要約】【課題】着色粒子と着色部を有する背面基板による多色表示を１つの電極対で行うことができる画像表示装置を提供する。【解決手段】画像表示装置１０は縦置きされた画像表示媒体１２及び電圧印加部１４から構成される。画像表示媒体１２は透明な表示基板１６と背面基板１８との間に帯電極性が異なる黒色粒子２２及び白色粒子２４が封入されて構成される。表示基板１６は基板２６上に表示側電極２８及び絶縁層３０が形成された構成であり、背面基板１８は、基板３２上に背面側電極３４、着色部３６、絶縁層３８が形成された構成である。着色部３６の色による表示を行なう場合には、電圧印加部１４は第１の交番電圧を表示側電極２８に印加して粒子を落下させ、着色部３６の色を隠蔽する場合には、第１の交番電圧よりも周波数が高い第２の交番電圧を表示側電極２８に印加して粒子を上昇させる。【選択図】        図３
2004184435.tif 000002
【特許請求の範囲】
【請求項１】
少なくとも透光性を有する表示基板と、前記表示基板と対向した背面基板と、前記背面基板側に設けられた着色部と、前記表示基板と前記背面基板との基板間に印加された電圧により形成された電界により前記基板間を移動可能に封入され、前記着色部の色と異なる粒子群と、を備え、水平方向と交差する方向に配置された画像表示媒体と、
前記着色部の色による表示を行なう場合には、前記粒子群を落下させるための第１の交番電圧を前記基板間に印加し、前記着色部の色を隠蔽する場合には、前記第１の交番電圧よりも周波数が高い第２の交番電圧を前記基板間に印加する電圧印加手段と、
を備えた画像表示装置。
【請求項２】
前記粒子群は、色及び帯電特性が異なる複数種類の粒子群であることを特徴とする請求項１記載の画像表示装置。
【請求項３】
前記複数種類の粒子群は、白色及び黒色の粒子群からなることを特徴とする請求項２記載の画像表示装置。
【請求項４】
前記電圧印加手段は、前記第２の交番電圧を前記基板間に印加する場合、最終電圧を所定時間維持してから電圧の印加を停止することを特徴とする請求項１乃至請求項３の何れか１項に記載の画像表示装置。
【請求項５】
前記電圧印加手段は、前記粒子群の色による表示を行なう場合、直流電圧又は第３の交番電圧を前記基板間に印加することを特徴とする請求項１乃至請求項４の何れか１項に記載の画像表示装置。
【請求項６】
前記画像表示媒体の下部に、落下した前記粒子群を隠蔽するための隠蔽手段をさらに備えたことを特徴とする請求項１乃至請求項５の何れか１項に記載の画像表示装置。
【請求項７】
前記着色部は、赤、緑、青で着色された領域を含むことを特徴とする請求項１乃至請求項６の何れか１項に記載の画像表示装置。
【請求項８】
前記着色部は、イエロー、マゼンダ、シアンで着色された領域を含むことを特徴とする請求項１乃至請求項６の何れか１項に記載の画像表示装置。
【請求項９】
前記背面基板及び前記着色部が光透過性を有し、前記背面基板及び前記着色部に光を照射するためのバックライトをさらに備えたことを特徴とする請求項１乃至請求項８の何れか１項に記載の画像表示装置。
【請求項１０】
前記背面基板が透明であり、前記背面基板の背後に前記着色部が設けられたことを特徴とする請求項１乃至請求項９の何れか１項に記載の画像表示装置。
【発明の詳細な説明】
【０００１】
【発明の属する技術分野】
本発明は、反射型の画像表示装置に係り、特に、電界によって着色粒子を駆動することにより繰り返し書き換えが可能な画像表示媒体を用いた画像表示装置に関する。
【０００２】
【従来の技術】
従来の着色粒子を使用した画像表示装置においてカラー画像を表示するには、表示基板側にカラーフィルタを配置する方法が一般的であった。しかしながら、この方法では白色度及び白黒画像の解像度が低下してしまうという問題があった。そこで本発明者らは、背面基板面を着色し、着色粒子による色表示に加え背面基板による色表示を行うことで、白黒表示画質を損なうことなくカラー表示を行う方法を提案した（例えば特許文献１参照）。
【０００３】
この方法は、従来の着色粒子を表示基板に付着させて着色粒子の色を表示するのに加え、着色粒子を基板面と水平方向に移動集合させて所望の部位の着色粒子を退避させ、透明な表示基板を介して背面基板面の色を表示させるものである。
【０００４】
図１４には、このような画像表示装置１００を示した。図１４に示すように、画像表示装置１００は画像表示媒体１０２及び電圧制御部１０４から構成されている。なお、図１４では、１つのセル（画素）についてのみ示した。画像表示媒体１０２は、画像表示面を形成する透明な表示基板１０６と背面基板１０８との間にスペーサ１１０が設けられ、このスペーサ１１０によって形成されたセル内に正に帯電した黒色粒子１１２及び負に帯電した白色粒子１１４が封入された構成である。表示基板１０６は、透明な基板１１６上に透明な表示側電極１１８及び透明な表面コート層１２０が形成された構成である。背面基板１０８は、基板１２２上に、内側電極１２４及び外側電極１２６から成る電極層１２８、着色層１３０、及び透明な表面コート層１３２が形成された構成である。表示側電極１１８は接地されており、内側電極１２４及び外側電極１２６は電圧制御部１０４に接続されている。
【０００５】
このような画像表示装置１００において、図１５に示すような白表示を行う場合には、電圧制御部１０４は、内側電極１２４及び外側電極１２６の各々に、負の直流電圧（例えば−２００Ｖ）を印加する。これにより、基板間に発生した電界の作用により、図１５に示すように、背面基板１０８側の負に帯電した白色粒子１１４が表示基板１０６側へ移動し、表示基板側１０６側の正に帯電した黒色粒子１１２は、背面基板１０８側へ移動する。一方、黒表示を行う場合には、電圧制御部１０４は、内側電極１２４及び外側電極１２６の各々に、正の直流電圧（例えば＋２００Ｖ）を印加する。
【０００６】
また、図１６に示すように、黒色粒子１１２及び白色粒子１１４をセルの外側に退避させ、着色層１３０の色を表示させる場合には、電圧制御部１０４は、内側電極１２４に所定の交番電圧（例えば±２００Ｖ、周波数１００Ｈｚ）を印加し、外側電極１２６を接地する。これにより、図１６に示すように、黒色粒子１１２及び白色粒子１１４は基板面と平行な方向へ移動し、接地された外側電極１２６側、すなわち電界が発生していない基板間に集まる。従って、内側電極１２４上に殆ど粒子が存在しなくなり、着色層１３０の色を表示基板１０６側から視認することができる。
【０００７】
また、この状態から、内側電極１２４と外側電極１２６とに、所定の交番電圧（例えば±２００Ｖ、周波数１００Ｈｚ）を印加すると、外側電極１２６上に集合した粒子が分散していき、粒子の分布を均一な状態に戻すことができる。
【０００８】
【特許文献１】
特開２００２−１６９１９１号公報
【０００９】
【発明が解決しようとする課題】
しかしながら、上記従来技術では、着色粒子を移動集合させるための電極が余分に必要となる。すなわち、１画素を表示駆動するのに少なくとも２つの電極対（表示側電極１１８と内側電極１２４、表示側電極１１８と外側電極１２６）が必要になると共に、それらを別々に駆動しなければならないため、画像表示媒体や電圧印加部の構成や制御が複雑になると共にコストが高くなってしまう、という問題があった。
【００１０】
本発明は、上記問題点に鑑みて成されたものであり、着色粒子を使用した画像表示装置において、着色粒子と着色された背面基板による多色表示を１つの電極対で行うことができる画像表示装置を提供することを目的とする。
【００１１】
【課題を解決するための手段】
上記課題を解決するため請求項１記載の発明は、少なくとも透光性を有する表示基板と、前記表示基板と対向した背面基板と、前記背面基板側に設けられた着色部と、前記表示基板と前記背面基板との基板間に印加された電圧により形成された電界により前記基板間を移動可能に封入され、前記着色部の色と異なる粒子群と、を備え、水平方向と交差する方向に配置された画像表示媒体と、前記着色部の色による表示を行なう場合には、前記粒子群を落下させるための第１の交番電圧を前記基板間に印加し、前記着色部の色を隠蔽する場合には、前記第１の交番電圧よりも周波数が高い第２の交番電圧を前記基板間に印加する電圧印加手段と、を備えたことを特徴とする。
【００１２】
この発明によれば、画像表示媒体は、表示基板と背面基板との基板間に、着色部の色と異なる粒子群が封入されて構成されている。粒子群は、基板間に印加された電圧により形成された電界により基板間を移動可能に封入されている。着色部は、背面基板に設けてもよく、背面基板と別個独立して設けてもよいが、背面基板が着色部を兼用してもよい。すなわち、背面基板そのものが着色されていてもよく、背面基板の素材そのものの色が粒子群の色と異なっていても良い。
【００１３】
なお、表示基板は、透光性を有しており、例えば透明、半透明、有色透明の何れかであるガラス基板や絶縁性の樹脂等の誘電体等で構成することができる。また、粒子は例えば絶縁性の粒子や導電性の粒子を用いることができる。また、表示基板と背面基板との基板間に電界を形成するための電極は、表示基板及び背面基板の対向面に各々設けてもよいし、表示基板及び背面基板の対向面と反対側の面、すなわち外側の面に各々設けてもよいし、基板の中に各々設けてもよいし、表示基板及び背面基板の外側に別個独立に各々設けてもよい。
【００１４】
粒子群が１種類の場合には、粒子と着色部の色とのコントラストで画像を表示することができる。請求項２に記載したように、色及び帯電特性が異なる複数種類の粒子群を用いた場合には、異なる種類の粒子群のコントラスト又は粒子群と着色部とのコントラストにより画像を表示することができる。また、請求項３に記載したように、白色及び黒色の粒子群を用いることにより、無彩色を表示することができると共に、白色度及び黒色度の高い表示を行うことが可能となる。
【００１５】
また、画像表示媒体は、水平方向と交差する方向に配置されている。すなわち、粒子が重力により画像表示媒体の下方へ落下可能なように、水平方向と角度をもって配置される。
【００１６】
電圧印加手段は、着色部の色による表示を行なう場合には、粒子群を落下させるための第１の交番電圧、例えば周波数が数十Ｈｚの交番電圧を基板間に印加する。これにより、粒子群が基板間を移動しながら重力により画像表示媒体の下方に落下し、着色部が露呈して、表示基板側から着色部の色を視認することができる。
【００１７】
また、着色部の色を隠蔽する場合には、電圧印加手段は、第１の交番電圧よりも周波数が高い第２の交番電圧、例えば周波数が数百Ｈｚの交番電圧を基板間に印加する。これにより、画像表示媒体の下方に落下していた粒子群が基板間を移動しながら徐々に上昇し、着色部が隠蔽される。なお、電圧の印加を停止した後も、鏡像力やファンデルワース力等の付着力により粒子は表示基板又は背面基板に付着したままとなり、粒子は落下しない。
【００１８】
このように、画像表示媒体を水平方向と交差する方向に配置し、粒子群を落下させて着色部を露呈させることにより着色部の色を表示するため、１つのセルについて一対の電極で済むため、装置の構成や制御を簡単にすることができると共に、装置を安価に構成することができる。
【００１９】
請求項４記載の発明は、前記電圧印加手段は、前記第２の交番電圧を前記基板間に印加する場合、最終電圧を所定時間維持してから電圧の印加を停止することを特徴とする。
【００２０】
この発明によれば、電圧印加手段は、粒子群を上昇させるための第２の交番電圧を基板間に印加する場合、最終電圧を所定時間維持してから電圧の印加を停止するため、均一な表示濃度とすることができる。
【００２１】
請求項５記載の発明は、前記電圧印加手段は、前記粒子群の色による表示を行なう場合、直流電圧又は第３の交番電圧を前記基板間に印加することを特徴とする。
【００２２】
この発明によれば、電圧印加手段は、粒子群の色による表示を行なう場合、直流電圧又は第３の交番電圧を基板間に印加する。例えば、正に帯電した粒子群の色を表示すべく表示基板側に移動させる場合には、負の直流電圧を表示基板側に印加する。または、例えば数サイクル程度の第３の交番電圧を印加し、最終パルスを負の電圧とする。これにより、所望の粒子群の色を表示することができる。
【００２３】
請求項６記載の発明は、画像表示媒体の下部に、落下した前記粒子群を隠蔽するための隠蔽手段をさらに備えたことを特徴とする。これにより、落下した粒子群による表示ノイズの発生を防ぐことができる。
【００２４】
請求項７記載の発明は、前記着色部は、赤、緑、青で着色された領域を含むことを特徴とする。これにより、様々な色を表示することができる。
【００２５】
請求項８記載の発明は、前記着色部は、イエロー、マゼンダ、シアンで着色された領域を含むことを特徴とする。このように、着色部を赤、緑、青と補色の関係にあるイエロー、マゼンダ、シアンで着色された領域を含むようにすることでも、様々な色を表示することができる。
【００２６】
請求項９記載の発明は、前記背面基板及び前記着色部が光透過性を有し、前記背面基板及び前記着色部に光を照射するためのバックライトをさらに備えたことを特徴とする。
【００２７】
この発明によれば、バックライトの光を背面基板に照射することにより、着色部の色をより鮮明に表示することができる。
【００２８】
請求項１０記載の発明は、前記背面基板が透明であり、前記背面基板の背後に前記着色部が設けられたことを特徴とする
この発明によれば、着色部を背面基板の背後に別個独立に設けることにより、着色部を交換するだけで容易に他の色を表示させることができる。また、画像表示媒体の構成を簡単にすることができ、製造を容易化することができる。
【００２９】
【発明の実施の形態】
以下、図面を参照して本発明の実施の形態について詳細に説明する。
【００３０】
図１には、本実施の形態に係る画像表示装置１０を示した。画像表示装置１０は、画像表示媒体１２、電圧印加手段としての電圧印加部１４により構成されている。
【００３１】
図１に示すように、画像表示装置１０は画像表示媒体１２及び電圧印加部１４から構成されている。なお、図１では、説明の簡単のため１つのセル（画素）についてのみ示した。このセルを多数備えることにより、所望の画像を表示することができる。
【００３２】
画像表示媒体１２は、透明な表示基板１６と背面基板１８との間に間隙部材２０が設けられ、この間隙部材２０によって形成されたセル内に一例として正に帯電した黒色粒子２２及び負に帯電した白色粒子２４が封入された構成である。
【００３３】
表示基板１６は、透明な基板２６上に透明な表示側電極２８及び透明な絶縁層３０が形成された構成である。
【００３４】
背面基板１８は、基板３２上に、背面側電極３４、着色部３６、及び透明な絶縁層３８が形成された構成である。なお、表示側電極２８は電圧印加部１４に接続されており、背面側電極３４は接地されている。電圧印加部１４は、画像信号に応じて所望の電圧を表示側電極２８に印加する。また、表示側電極２８及び背面側電極３４は、表示基板１６及び背面基板１８の対向する側の面と反対側の面に形成されていてもよく、表示基板１６及び背面基板１８の外側に別個独立に配置されていてもよい。
【００３５】
本実施の形態では、表示基板１６は、例えば透明なＩＴＯ基板を使用し、この表面を例えば絶縁性の樹脂等によりコーティングすることにより作製した。また、表示基板１６上に所謂フォトリソグラフィによって高さ２００ｕｍの間隙部材２０を形成した。
【００３６】
また、背面基板１８は、基板３２上に形成された背面側電極３４上に、印刷によって着色部３６（例えば赤）を形成し、その表面を絶縁性の樹脂等によりコーティングして絶縁層３８を形成することにより作製した。
【００３７】
そして、各基板の電極面が対向するように両基板を重ね、基板間に正に帯電した黒色粒子２２及び負に帯電した白色粒子２４を封入して画像表示媒体１２を作製した。
【００３８】
このような画像表示媒体１２は、図１に示すように、縦置き、すなわち、水平方向と略直交する方向に配置される。
【００３９】
また、電圧印加の方式としては、表示側電極２８を画素毎に独立した孤立電極にすると共に背面側電極３４をベタ電極として、画素毎に独立して電圧を印加する所謂アクティブマトリクス方式を用いてもよいし、ライン状の複数の表示側電極とライン状の複数の背面側電極とを画像表示媒体を平面視した場合に直交するように配置し、順番に背面側電極に電圧を印加しながら、これと同期してそのライン上で画像表示に寄与する画素を含む表示側電極全てに電圧を印加することにより、１ライン毎に画像を形成するパッシブマトリクス（単純マトリクス）方式を採用してもよい。さらに、背面側電極３４をベタ電極とし、孤立電極をライン状に形成した電極ヘッドを表示基板１６に近接して移動させながら電圧を印加する構成としてもよい。
【００４０】
次に、本実施の形態の作用として、電圧印加部１４による電圧印加制御について説明する。
【００４１】
電圧印加部１４は、着色部３６の色による表示を行なう場合には、粒子群を落下させるための第１の交番電圧として、例えば周波数が８０Ｈｚの交番電圧を表示側電極２８に所定時間印加する。すなわち、表示側電極２８に正のパルス電圧と負のパルス電圧を交互に繰返し印加する。これにより、図２に示すように、黒色粒子２２及び白色粒子２４が基板間を往復運動しながら重力により画像表示媒体の下方に徐々に落下する。そして、最終的には図３に示すように、画像表示媒体１２の下部に黒色粒子２２及び白色粒子２４が堆積する。これにより、着色部３６が露呈してその色が表示され、表示基板１６側から着色部３６の色を視認することができる。第１の交番電圧を印加する時間は、粒子が十分に落下する時間に設定される。
【００４２】
また、着色部３６の色を隠蔽する場合には、電圧印加部１４は、第１の交番電圧よりも周波数が高い第２の交番電圧として、例えば周波数が３００Ｈｚの交番電圧を表示側電極２８に所定時間印加する。これにより、画像表示媒体１２の底部に堆積していた黒色粒子２２及び白色粒子２４が基板間を往復運動しながら徐々に上昇し、着色部３６が隠蔽される。なお、電圧の印加を停止した後も、鏡像力やファンデルワース力等の付着力により粒子は表示基板１６又は背面基板１８に付着したままとなり、粒子は落下しない。第２の交番電圧を印加する時間は、粒子が十分に上昇する時間に設定される。
【００４３】
図４には、表示側電極２８に印加する交番電圧の周波数と、粒子が上昇したときの高さ（拡散高さ）、すなわち画像表示媒体１２のセルの底面からの高さとの関係を示した。図４に示すように、交番電圧の周波数を高くしていくと、それに伴って粒子が上昇する高さも徐々に高くなり、７００〜８００Ｈｚ付近で粒子が上昇する高さが最大（約８ｍｍ）になる。そして、それ以上周波数を高くすると、粒子の上昇する高さは徐々に低くなる。従って、交番電圧の周波数を約１００Ｈｚ〜１０ｋＨｚとし、周波数に応じてセルの高さを約２ｍｍ〜８ｍｍとすることにより、粒子を確実にセルの上部に上昇させることができ、着色部３６を確実に隠蔽することができる。なお、図４に示す交番電圧の周波数と粒子の拡散高さとの関係は一例であり、粒子の粒子径、比重、帯電量、基板間の距離によって上記の関係は異なる。
【００４４】
また、着色部３６の色の表示速度を早くするには、粒子を早く落下させる必要があり、交番電圧の周波数を高くするに従って粒子の往復運動が活発になるため落下速度が速くなるが、周波数を高くし過ぎると図４に示したように粒子の上昇が起こる。このため、本実施の形態では、粒子を落下させるための第１の交番電圧の周波数を８０Ｈｚ、粒子を上昇させるための第２の交番電圧の周波数を３００Ｈｚとした。
【００４５】
また、図５に示したように、粒子を上昇させるための第２の交番電圧の最終パルスの極性を正にすることにより、白色粒子２４を表示基板１６に付着させることができ、図６に示すような白表示状態とすることができる。また、第２の交番電圧の最終パルスの極性を負にすることにより、黒色粒子２２を表示基板１６に付着させることができ、図１に示すような黒表示状態とすることができる。このとき、最終パルスの印加時間を所定時間以上（例えば１０ｍｓｅｃ以上）にすることにより、より安定した表示濃度を得ることができる。
【００４６】
また、粒子群の色による表示を行なう場合、電圧印加部１４は、直流電圧又は第３の交番電圧を表示側電極２８に印加する。例えば、正に帯電した黒色粒子２２の色を表示する場合には、電圧印加部１４は、負の直流電圧を表示側電極２８に印加する。これにより、黒色粒子２２を表示基板１６に付着させることができ、その色を表示することができる。また、第３の交番電圧として例えば数サイクル程度の交番電圧を印加し、最終パルスを負の電圧としてもよい。
【００４７】
一方、負に帯電した白色粒子２４の色を表示する場合には、電圧印加部１４は、正の直流電圧を表示側電極２８に印加する。これにより、白色粒子２４を表示基板１６に付着させることができ、その色を表示することができる。また、第３の交番電圧として例えば数サイクル程度の交番電圧を印加し、最終パルスを正の電圧としてもよい。
【００４８】
このように、粒子群の色による表示を行なう場合、直流電圧又は第３の交番電圧を表示側電極２８に印加することにより、画像に応じて所望の粒子群の色を表示することができる。これは、印加された直流電圧又は数サイクルの交番電圧によって、粒子群が基板間を一回又は数回往復移動する際に落下する量（高さ）は小さいため、粒子群の落下による表示品質の劣化を観察者に認識させずに、粒子群による表示の切替えをある程度の回数行うことができるからである。
【００４９】
以上のように、画像表示媒体１２を水平方向と直交する方向に配置し、粒子群を落下させるて着色部３６を露呈させることにより着色部３６の色を表示するため、１つのセルについて一対の電極で済む。これにより、装置の構成や制御を簡単にすることができると共に、装置を安価に構成することができる。
【００５０】
ところで、粒子を落下させて着色部３６の色を表示した場合、画像表示媒体１２の下部に堆積した粒子が表示ノイズとして認識される場合がある。そこで、図７に示したように、画像表示媒体１２の下部に堆積した粒子を隠蔽するための隠蔽手段としての遮蔽部（ブラックマトリクス等）４０を表示基板１６に設けてもよい。これにより、堆積した粒子による表示ノイズを防ぐことができ、表示品質を高めることができる。
【００５１】
なお、本実施の形態では、２種類の粒子を用いた場合について説明したが、これに限らず、１種類の粒子を用いてもよい。図８、９には、白色粒子２４のみを基板間に封入した画像表示媒体１２を用いた画像表示装置１０を示した。この場合、電圧印加部１４が正の直流電圧を表示側電極２８に印加することにより、図８に示すような白表示を行なうことができる。また、例えば着色部３６の色を黒色とした場合、電圧印加部１４が第１の交番電圧を表示側電極２８に印加することにより、白色粒子２４を図９に示すように画像表示媒体１２の下部に落下させて黒表示を行なうことができる。
【００５２】
また、図１０に示すように、背面基板１８の基板３２、背面側電極３４、絶縁層３８を透明にすると共に、着色部３６を透光性を有するものとし、背面基板１８の背後にバックライト４２を設けた構成としてもよい。この場合、バックライト４２の光を背面基板１８に照射することにより、着色部３６の色をより明るく表示することができる。
【００５３】
また、図１１に示すように、背面基板１８を透明にすると共に、着色部３６を背面基板１８内に設けずに背面基板１８と別個独立に設け、背面基板１８の背後に配置するようにしてもよい。これにより、着色部３６を交換するだけで容易に他の色を表示することができる。また、画像表示媒体１２の製造を容易にすることができる。
【００５４】
また、図１２に示すように、着色部３６を、イエローに着色された着色部３６Ｙ、マゼンダに着色された着色部３６Ｍ、シアンに着色された着色部３６Ｃを規則的に配置した構成にすると共に、各着色部に対応して表示側電極２８及び背面側電極３４を設け、各着色部毎にセル４４Ｙ、４４Ｍ、４４Ｃを形成するようにしてもよい。そして、図１３の点線で示すように、セル４４Ｙ、４４Ｍ、４４Ｃにより１つの画素を構成し、カラー画像情報に応じて任意のセルの粒子を落下させることにより、所望の色を表示することができる。また、イエロー、マゼンダ、シアンではなく、これと補色の関係にある赤、緑、青の着色部を用いてもよい。
【００５５】
【発明の効果】
本発明によれば、着色粒子を使用した画像表示装置において、着色粒子と着色された背面基板による多色表示を１つの電極対で行うことができる、という効果を有する。
【図面の簡単な説明】
【図１】画像表示装置の概略構成図である。
【図２】粒子の落下について説明するための図である。
【図３】画像表示装置の概略構成図である。
【図４】交番電圧の周波数と粒子が上昇する高さとの関係を示すグラフである。
【図５】印加電圧の波形を示す波形図である。
【図６】画像表示装置の概略構成図である。
【図７】画像表示装置の概略構成図である。
【図８】１粒子系の画像表示装置の概略構成図である。
【図９】１粒子系の画像表示装置の概略構成図である。
【図１０】バックライトを備えた画像表示装置の概略構成図である。
【図１１】着色部と背面基板とが分離した構成の画像表示装置の概略構成図である。
【図１２】画像表示装置の概略構成図である。
【図１３】セルの配置を示す図である。
【図１４】従来の画像表示装置の概略構成図である。
【図１５】従来の画像表示装置の概略構成図である。
【図１６】従来の画像表示装置の概略構成図である。
【符号の説明】
１０    画像表示装置
１２    画像表示媒体
１４    電圧印加部
１６    表示基板
１８    背面基板
２０    間隙部材
２２    黒色粒子
２４    白色粒子
２６、３２    基板
２８    表示側電極
３０、３８    絶縁層
３４    背面側電極
３６    着色部
４２    バックライト
【図１】
2004184435.tif 000003
【図２】
2004184435.tif 000004
【図３】
2004184435.tif 000005
【図４】
2004184435.tif 000006
【図５】
2004184435.tif 000007
【図６】
2004184435.tif 000008
【図７】
2004184435.tif 000009
【図８】
2004184435.tif 000010
【図９】
2004184435.tif 000011
【図１０】
2004184435.tif 000012
【図１１】
2004184435.tif 000013
【図１２】
2004184435.tif 000014
【図１３】
2004184435.tif 000015
【図１４】
2004184435.tif 000016
【図１５】
2004184435.tif 000017
【図１６】
2004184435.tif 000018